(57)【要約】【課題】送塵弁を送り角変更可能に有する状態と、天板部の内側が縦断面円弧状になる状態とに安価に状態変更できる脱穀装置を提供する。【解決手段】扱室１６の天板部２２に平坦面部２５が形成されている。天板部２２の内側に、複数の送塵弁３０が、平坦面部２５に沿って送り角が変更可能に取付けられた第一状態と、天板部２２の内側に、縦断面円弧状の案内板が取付けられた第二状態と、に変更可能である。【選択図】図３
2019083803.tif 000002
【特許請求の範囲】
【請求項１】
収穫物が投入される扱室と、
前記扱室に扱胴軸芯まわりに回転可能に設けられた扱胴と、
前記扱室の天板部に形成された平坦面部と、が備えられた脱穀装置であって、
前記天板部の内側に、脱穀処理物を前記扱室の後方へ向けて送り案内する複数の送塵弁が、前記扱胴軸芯に沿う方向に並べられ、かつ、前記平坦面部に沿って送り角が変更可能に取付けられた第一状態と、前記天板部の内側に、縦断面円弧状の案内板が取付けられた第二状態と、に変更可能である脱穀装置。
【請求項２】
前記案内板の内側に、脱穀処理物を前記扱室の後方へ向けて送り案内する複数の送り部材が、前記扱胴軸芯に沿う方向に並べられ、かつ、姿勢変更不能な状態で設けられている請求項１に記載の脱穀装置。
【請求項３】
前記送り部材は、前記案内板の内側に一体的に設けられている請求項２に記載の脱穀装置。
【請求項４】
前記送塵弁は、前記天板部の内側における上部側部分のみに位置する状態で設けられ、
前記送り部材は、前記天板部の内側における扱胴周方向の一端部と他端部とに亘る状態で設けられている請求項２または３に記載の脱穀装置。
【請求項５】
前記天板部に、前記送塵弁または前記案内板が取付けられる共通の取付け部が備えられている請求項１から４のいずれか一項に記載の脱穀装置。
【請求項６】
前記案内板は、複数の分割案内板によって構成されている請求項１から５のいずれか一項に記載の脱穀装置。
【請求項７】
前記案内板は、前記扱室の前後方向に分割可能に構成されている請求項６に記載の脱穀装置。
【請求項８】
前記分割案内板同士は、前記扱室の前後方向で突き合わせ状態に配設されている請求項７に記載の脱穀装置。
【請求項９】
前記案内板は、前記扱室の天井部において、前記扱胴の回転方向での上手側端部が前記扱室に固定され、下手側端部が自由端となっている請求項１から８のいずれか一項に記載の脱穀装置。
【請求項１０】
前記案内板は、前記上手側端部と下手側端部の間で前記扱室に支持されている請求項９に記載の脱穀装置。
【発明の詳細な説明】
【技術分野】
【０００１】
本発明は、収穫物が投入される扱室と、前記扱室に扱胴軸芯まわりに回転可能に設けられた扱胴と、が備えられた脱穀装置に関する。
【背景技術】
【０００２】
上記した脱穀装置において、たとえば特許文献１に示されるように、扱室の天板部の内側に、脱穀処理物を扱室の後方へ向けて送り案内する複数の送塵弁が扱胴軸芯に沿う方向に並べて取付けられ、天板部に送塵弁の角度変更を可能にする平坦面部が形成され、複数の送塵弁は、平坦面部に沿って送り角が変更可能な状態で取り付けらているものがある。
この種の脱穀装置は、脱穀処理物が扱胴によって回動力を受けて扱室を回動し、送塵弁に当たって送塵弁による送り案内を受けるので、脱穀処理物を扱室の後方に向けて移送しやすくしつつ脱穀処理できる。送塵弁の送り角を変更することによって脱穀処理物の移送速度を調節できるというものである。
【先行技術文献】
【特許文献】
【０００３】
【特許文献１】特開平１１−５６０８７号公報
【発明の概要】
【発明が解決しようとする課題】
【０００４】
従来、収穫物の品種や性状の相違に対応させるなど、送塵弁を送り角変更可能に有する状態と、送塵弁を有しない状態とに脱穀装置を変更した場合、送塵弁を有しない状態にした脱穀装置において、天板部の平坦面部のために脱穀処理物の流れが悪くなりがちになる。また、脱穀処理物を扱室の後方に向けて送り案内する送り部材を天板部の内側に姿勢変更不能に設ける状態にする場合、送り部材の姿勢変更が不要であって、天板部の平坦面部が不要になるので、この場合においても、天板部の平坦面部のために、脱穀処理物の流れが悪くなりがちになる。
そこで、内側に平坦面部を有する天板部と、脱穀処理物がスムーズに流れるように内周部の縦断面形状を円弧状にした天板部とを準備し、平坦面部を有する天板部と、内周部が縦断面円弧状の天板部とから一方を選択して組み付けることが考えらえるが、この場合、二種類の天板部が必要になるのでコスト高になる。
【０００５】
本発明は、送塵弁を送り角変更可能に有する状態と、天板部の内側が縦断面円弧状になる状態とに安価に状態変更できる脱穀装置を提供する。
【課題を解決するための手段】
【０００６】
本発明は、
収穫物が投入される扱室と、
前記扱室に扱胴軸芯まわりに回転可能に設けられた扱胴と、
前記扱室の天板部に形成された平坦面部と、が備えられた脱穀装置であって、
前記天板部の内側に、脱穀処理物を前記扱室の後方へ向けて送り案内する複数の送塵弁が、前記扱胴軸芯に沿う方向に並べられ、かつ、前記平坦面部に沿って送り角が変更可能に取付けられた第一状態と、前記天板部の内側に、縦断面円弧状の案内板が取付けられた第二状態と、に変更可能である。
【０００７】
本構成によると、平坦面部を有する天板部と、縦断面形状が円弧状になった天板部との二種類の天板部を準備しなくても、天板部としては、平坦面部を有する天板部だけを準備することにより、脱穀装置を第一状態と第二状態とに状態変更できる。
【０００８】
従って、天板部としては、平坦面部を有する一種類の天板部を準備するだけで安価に、送塵弁を送り角変更可能に有する状態と、天板部の内側が縦断面円弧状である状態とに脱穀装置を状態変更できる。
【０００９】
本発明においては、前記案内板の内側に、脱穀処理物を前記扱室の後方へ向けて送り案内する複数の送り部材が、前記扱胴軸芯に沿う方向に並べられ、かつ、姿勢変更不能な状態で設けられていると好適である。
【００１０】
本構成によると、脱穀処理物が送り部材によって扱室の後方へ向けて送り案内されるので、かつ、天板部の内側が案内板によって縦断面円弧状になっていて脱穀物が天板部の内側をスムーズに移動するので、脱穀処理物を扱室の後方へスムーズに移動させつつ脱穀処理できる。
【００１１】
本発明においては、前記送り部材は、前記案内板の内側に一体的に設けられていると好適である。
【００１２】
本構成によると、送り部材が案内板によってしっかり支持されるので、トウモロコシなどの重い収穫物が送り部材に当たっても、送り部材がずれ動くなどしないで適確に案内作用する。また、案内板を取付ける操作によって案内板と送り部材とを一挙に取付けることができる。
【００１３】
本発明においては、前記送塵弁は、前記天板部の内側における上部側部分にのみに位置する状態で設けられ、前記送り部材は、前記天板部の内側における扱胴周方向の一端部と他端部とに亘る状態で設けられていると好適である。
【００１４】
本構成によると、送塵弁の天板部周方向での長さが送り部材の天板部周方向での長さよりも短いので送塵弁を作動させやすく、送塵弁の送り角調節を行ないやすい。
送り部材の天板部周方向での長さが送塵弁の天板部周方向での長さよりも長いので、送り部材をその長さによって案内板にしっかり支持できる。
【００１５】
本発明においては、前記天板部に、前記送塵弁または前記案内板が取付けられる共通の取付け部が備えられていると好適である。
【００１６】
本構成によると、天板部の取付け部を送塵弁の取付け用と案内板の取付け用とに共用した簡素な取付け構造で送塵弁や案内板を天板部に取付けられる。
【００１７】
本発明においては、前記案内板は、複数の分割案内板によって構成されていると好適である。
【００１８】
本構成によると、案内板を複数の分割案内板に分けて楽に取り付けることができる。
【００１９】
本発明においては、前記案内板は、前記扱室の前後方向に分割可能に構成されていると好適である。
【００２０】
本構成によると、案内板を扱胴の前後方向に分割した分割案内板に分けて楽に取り付けることができる。
【００２１】
本発明においては、前記分割案内板同士は、前記扱室の前後方向で突き合わせ状態に配設されていると好適である。
【００２２】
本構成によると、扱室の前後方向で突き合わせ状態に配設された分割案内板同士は、突き合わせ箇所での段差が少ないほぼ面一の状態で前後方向に並ぶ。その結果、扱室内に投入された脱穀処理物の後方側へ移行に際しての抵抗が少なくて済み、円滑に後方送りされ易い。
【００２３】
本発明においては、前記案内板は、前記扱室の天井部において、前記扱胴の回転方向での上手側端部が前記扱室に固定され、下手側端部が自由端となっていると好適である。
【００２４】
本構成によると、扱胴の回転方向における案内板の下手側端部が自由端となっているので、この自由端の位置を固定するための構造や、固定のための作業を省略することができる。
つまり、扱胴の回転に伴って移動する脱穀処理物を介して案内板に作用する外力は、扱胴の回転中心から放射方向、及び扱胴の回転方向の上手側から下手側へ向けて作用する。扱胴の回転中心から放射方向に向けて作用する外力は、案内板の外側に位置する扱室の天板部で受け止められる。したがって、扱胴の周方向に沿う案内板には、扱胴の回転方向の上手側から下手側へ向かう外力が主として作用する。このため、扱胴の周方向に沿う案内板の下手側端部が固定される構造のものでは、案内板の下手側端部に周方向に沿う外力が作用しても、固定箇所でのシール性能等が維持される状態で固定する必要がある。
これに比べて、案内板の下手側端部が自由端となっている本構成のものでは、その下手側端部を固定するための構造も、固定するための作業も不要であり、案内板の構造、ならびに案内板の組付け作業を簡素し得る。
【００２５】
本発明においては、前記案内板は、前記上手側端部と下手側端部の間で前記扱室に支持されていると好適である。
【００２６】
本構成によると、案内板が、シール構造等を設ける必要のない上手側端部と下手側端部の間で扱室に支持されているので、案内板の取付姿勢を簡単な支持構造によって安定良く維持させることができる。
【図面の簡単な説明】
【００２７】
【図１】コンバインの全体を示す左側面図である。
【図２】第一状態の脱穀装置を示す縦断側面図である。
【図３】第一状態の脱穀装置における脱穀部を示す縦断正面図である。
【図４】第一状態の脱穀装置における脱穀部を示す平面図である。
【図５】第二状態の脱穀装置における脱穀部を示す縦断正面図である。
【図６】第二状態の脱穀装置における脱穀部を示す平面図である。
【図７】別実施形態での第二状態の脱穀装置における脱穀部を示す縦断正面図である。
【図８】別実施形態での第二状態の脱穀装置における脱穀部を示す平面図である。
【図９】別実施形態での第二状態の脱穀装置における案内板を示す分解斜視図である。
【発明を実施するための形態】
【００２８】
以下、本発明の脱穀装置の実施の形態を、コンバインに適用した場合について、図面に基づいて説明する。図１は、コンバインの全体を示す側面図である。図１に示す［Ｆ］の方向が走行機体１の前方向、［Ｂ］の方向が走行機体１の後方向、紙面表側の方向が走行機体１の左方向、紙面裏側の方向が走行機体１の右方向と定義する。
【００２９】
＜第一実施形態＞
〔コンバインの全体構成〕
図１に示すように、コンバインは、左右一対のクローラ走行装置２が装備された走行機体１を備えている。走行機体１の前部に運転部３が設けられている。運転部３は、キャビン４によって覆われている。運転部３の下部に、エンジンを有する原動部（図示せず）が設けられている。機体フレーム５の前部に収穫搬送装置６が支持されている。収穫搬送装置６は、機体フレーム５の前部から前方へ上下揺動可能に延出された搬送部６Ａと、搬送部６Ａの延出端部に支持された収穫部６Ｂを備えている。収穫部６Ｂは、搬送部６Ａが昇降シリンダ７の伸縮作動によって揺動操作されることにより、下降作業状態と上昇非作業状態とにわたって昇降操作される。機体フレーム５の後部に脱穀装置８及び穀粒タンク９が支持されている。脱穀装置８と穀粒タンク９とは、穀粒タンク９が運転部３の後側に位置する状態で走行機体１の左右方向に並んでいる。穀粒タンク９に穀粒排出装置１０が備えられている。脱穀装置８の後部に細断装置１１が連結されている。
【００３０】
このコンバインでは、収穫部６Ｂを下降作業状態に下降させ、この状態で走行機体１を走行させることにより、稲、麦などの収穫作業を行なえる。すなわち、収穫部６Ｂにおいて、植立穀稈が回転リール１２によって刈取装置１３へ掻き込まれ、植立穀稈の株元が刈取装置１３によって切断されて植立穀稈の刈取りが行われ、刈取穀稈がオーガ１４によって搬送部６Ａに供給される。収穫物としての刈取穀稈の株元から穂先までの全体が搬送部６Ａによって脱穀装置８に供給されて脱穀処理される。脱穀処理によって得られた脱穀粒が穀粒タンク９に搬送されて貯留される。貯留された脱穀粒が穀粒排出装置１０によって穀粒タンク９から排出される。脱穀装置８から排出された脱穀排ワラが細断装置１１によって細断されて排出される。
【００３１】
〔第一状態の脱穀装置〕
図１に示すように、脱穀装置８は、脱穀装置８の前後方向が走行機体１の前後方向と一致する状態で機体フレーム５に支持されている。
【００３２】
図２に示すように、脱穀装置８は、脱穀機体１５を備えている。脱穀機体１５の上部に脱穀部８Ａが形成され、脱穀機体１５の下部に選別部８Ｂが形成されている。
【００３３】
図２，３に示すように、脱穀部８Ａは、扱室１６、扱室１６に設けられた扱胴１７、及び、扱胴１７の下部の外周囲に設けられた受網１８を備えている。扱室１６は、脱穀機体１５の前壁部１５ｆ、脱穀機体１５の後壁部１５ｒ、天壁部１９、及び、受網１８によって形成されている。扱室１６の前部に、搬送部６Ａの搬送終端部に連通する入口２０が形成されている。扱室１６の後部に、細断装置１１の内部に連通する送塵口２１が形成されている。扱胴１７は、扱胴支軸１７ａを介して前壁部１５ｆ及び後壁部１５ｒに支持され、扱胴軸芯としての扱胴支軸１７ａの軸芯（以下、扱胴軸芯Ｘと呼称する。）を回転中心にして回転可能に支持されている。扱胴軸芯Ｘは、扱室１６の前後方向に沿う方向に沿っている。扱胴１７は、扱胴１７の前部に設けられた掻込み部１７Ｋ、及び、掻込み部１７Ｋの後側に設けられた扱き処理部１７Ｄを備えている。
【００３４】
図２，３，４に示すように、天壁部１９は、天板部２２、前縦壁部２３及び後縦壁部２４を備えている。図３に示すように、天板部２２は、脱穀装置左右方向での中間部における領域２２Ａ（図４参照）に平坦面部２５を有するように、全体としての形状が下向き開口の溝形状になるように形成されている。天板部２２の脱穀装置左右方向での両端部に連結部２６が備えられている。左右の連結部２６は、天板部２２を構成する板部材の折曲げ端部によって構成されている。左右の連結部２６には、扱室内外方向に並ぶ外側部２６ａ、中間部２６ｂ及び内側部２６ｃが備えられている。中間部２６ｂが外側部２６ａ及び内側部２６ｃよりも高く位置している。左右の連結部２６のうちの左の連結部２６が脱穀機体１５の左横壁部１５ａに蝶番部材２７を介して連結されている。天壁部１９は、蝶番部材２７の脱穀装置前後方向に延びる蝶番軸芯Ｙを揺動中心にして上昇開き姿勢と下降閉姿勢とに上下開閉可能に支持されている。図４に示すように、天板部２２の右端部の前後側に開閉用の持ち手部材５３が備えられている。天壁部１９が閉じられると、右の連結部２６が脱穀機体１５の右横壁部１５ｂの上に載り、右の連結部２６がロック部材（図示せず）によって右横壁部１５ｂに締め付け固定されることにより、天壁部１９を下降閉姿勢に固定できる。図３に示す１５ｃは、クッション材である。本実施形態では、天壁部１９を脱穀装置８の左横側に向けて上昇させて開く構成を採用しているが、右の連結部２６に蝶番部材を連結し、天壁部１９を脱穀装置８に右横側に向けて上昇させて開く構成を採用してもよい。また、天壁部１９を脱着によって開閉する構成を採用してもよい。
【００３５】
図２，３に示すように、天板部２２の内側に、第一の送塵弁２９、及び複数の第二の送塵弁３０が設けられている。第一の送塵弁２９は、姿勢変更不能な状態で掻込み部１７Ｋの上方に設けられている。
【００３６】
複数の第二の送塵弁３０は、扱胴軸芯Ｘに沿う方向に間隔を空けて並ぶ状態で扱き処理部１７Ｄの上方に設けられている。図３に示すように、複数の第二の送塵弁３０のそれぞれは、天板部２２の内側における上部側部分にのみに位置する状態で設けられている。図３，４に示すように、複数の第二の送塵弁３０のそれぞれの回転支軸３１が天板部２２における平坦面部２５に備えられた取付け部としての取付けボス部３２に回転可能に支持されている。天板部２２の外側に、第二の送塵弁３０の支持強度を高める補強部材２２ｂが設けられている。複数の第二の送塵弁３０は、脱穀装置８の上下方向に沿う方向に延びる回転支軸３１の軸芯Ｚを揺動中心にして平坦面部２５に沿って揺動して送り角を変更する状態で天板部２２に取り付けられている。図３，４に示すように、天板部２２の内側において、複数の第二の送塵弁３０の一端部に亘って連動リンク３３が連結されている。図４に示すように、天板部２２の外側において、複数の第二の送塵弁３０のうちの前から二番目の第二の送塵弁３０の回転支軸３１からバネ板製の調節レバー３４が前方向きに延出されている。調節レバー３４は、運転部３からキャビン４の窓越しに操作できる状態で設けられている。調節レバー３４を回転支軸３１の軸芯を揺動中心にして揺動操作することにより、連動リンク３３が複数の第二の送塵弁３０を連動連結しているので、複数の第二の送塵弁３０が同じ揺動方向に、同じ角度だけ揺動し、複数の第二の送塵弁３０の送り角が変化する。調節レバー３４に備えられている位置決めピン３５を、天板部２２に固定された固定部材３６の複数のピン穴３７から選択した一つのピン穴３７に差し入れることにより、調節レバー３４が操作位置に固定部材３６によって保持され、複数の第二の送塵弁３０が調節レバー３４の操作位置に対応する送り角の揺動位置に保持される。調節レバー３４を揺動操作し、操作後の操作位置に固定部材３６によって保持させることにより、複数の第二の送塵弁３０の送り角を変更調節できる。調節レバー３４の遊端側を持ち上げて位置決めピン３５をピン穴３７から抜き上げるとき、調節レバー３４の上昇揺動の弾性変形量が上昇規制部材３６ａによって規制され、調節レバー３４の塑性変形が上昇規制部材３６ａによって防止される。
【００３７】
稲、麦などを脱穀対象とする脱穀装置８は、平坦面部２５を有する天板部２２を備え、天板部２２の内側に、複数の第二の送塵弁３０が扱胴軸芯Ｘに沿う方向に並べられ、かつ、平坦面部２５に沿って送り角が変更可能に取り付けられた第一状態に構成されている。第一状態の脱穀装置８は、次の如く脱穀作用する。
【００３８】
脱穀部８Ａにおいては、扱胴支軸１７ａが駆動機構３８によって駆動されることにより、扱胴１７が回転方向Ｒ（図３参照）に回転駆動される。収穫物としての刈取穀稈の株元から穂先までの全体が搬送部６Ａによって入口２０を通して扱室１６の前部に位置する案内底板３９の上に投入される。投入された刈取穀稈が掻込み部１７Ｋによって扱胴１７の後方に向けて掻き込まれて扱き処理部１７Ｄに供給される。扱き処理部１７Ｄに供給された刈取穀稈が扱き処理部１７Ｄと受網１８とによって扱き処理される。脱穀処理物が扱胴１７によって回動力を付与されて扱室１６を回動して第二の送塵弁３０に当たり、第二の送塵弁３０によって扱室１６の後方へ向けて送り案内される。これにより、脱穀処理物が扱き処理部１７Ｄによる送り作用と、第二の送塵弁３０による案内作用とによって扱室１６の後方に向けて移送されつつ脱穀処理される。脱穀処理によって得られた穀粒が受網１８の漏下穴を通って選別部８Ｂに落下する。ワラ屑などの脱穀塵埃が送塵口２１から排出されて細断装置１１に入る。
【００３９】
図２に示すように、選別部８Ｂには、受網１８の下方に設けられた揺動選別装置４０が備えられている。揺動選別装置４０は、揺動選別装置４０の後端側に連動された駆動機構４１によって揺動駆動される。揺動選別装置４０は、受網１８から落下した穀粒やワラ屑などの塵埃を受け止め、受け止めた穀粒及び塵埃をグレンパン４２、チャフシーブ４３及びグレンシーブ４４などによって揺すり操作し、揺動選別装置４０の後方に向けて移送しながら選別処理する。選別処理によって得られた１番穀粒としての精粒、２番穀粒としての未処理粒が揺動選別装置４０から落下し、選別されたワラ屑などの塵埃が揺動選別装置４０の後部から細断装置１１に向けて排出される。
【００４０】
揺動選別装置４０の前下方に唐箕４５が設けられている。揺動選別装置４０の下方に１番スクリューコンベヤ４６及び２番スクリューコンベヤ４７が設けられている。唐箕４５によって揺動選別装置４０の内部を後上方に向かって通る選別風が供給される。揺動選別装置４０から落下した１番穀粒が１番スクリューコンベヤ４６によって回収されて穀粒タンク９に向けて搬送される。揺動選別装置４０から落下した２番穀粒が２番スクリューコンベヤ４７によって回収されて脱穀装置８の横外側へ搬送され、横外側から還元装置（図示せず）によって揺動選別装置４０の始端部へ還元される。
【００４１】
〔トウモロコシ収穫機〕
稲、麦などの作物用の収穫部６Ｂに代えて、トウモロコシ用の収穫部を搬送部６Ａの前部に連結し、第一状態から第二状態に変更した脱穀装置８を備えることにより、トウモロコシ収穫機が構成される。
【００４２】
トウモロコシ収穫機では、収穫部において、トウモロコシ植物体からトウモロコシ房状体が千切り取られ、トウモロコシ房状体を収穫される。トウモロコシ房状体は、種子粒が棒状に連なって房状になり、かつ、房状の種子粒が包葉によって包まれているものである。収穫された収穫物としてのトウモロコシ房状体が搬送部６Ａによって脱穀装置８に投入される。脱穀装置８において、トウモロコシ房状体の種子粒を脱粒させる脱穀処理、及び、種子粒を包葉などの塵埃と選別する選別処理が行われる。選別された種子粒が穀粒タンク９に供給されて貯留される。貯留された種子粒が穀粒排出装置１０によって穀粒タンク９から排出される。
【００４３】
〔第二状態の脱穀装置〕
第二状態の脱穀装置８は、第一状態の脱穀装置８における脱穀部８Ａの構成と異なる構成を有する脱穀部８Ｃ、及び、第一状態の脱穀装置８における選別部８Ｂの構成と同じ構成を有する選別部を備える。選別部の説明を省略し、脱穀部８Ｃについて、次に説明する。
【００４４】
図５に示すように、脱穀部８Ｃにおいては、天板部２２の内側に下向き開口の縦断面円弧状の案内板４８が取り付けられ、平坦面部２５を有する天板部２２の内側をトウモロコシ房状体や包葉などが流れやすい円弧状に案内板４８によって補正されている。図６に示すように、案内板４８の前部には、第一の送塵弁２９を避ける切欠き部４８ａが形成されている。案内板４８の脱穀装置左右方向での両端部にサイド連結部４９が備えられ、案内板４８の脱穀装置左右方向での中間部にセンタ連結部５０が備えられている。左右のサイド連結部４９は、案内板４８の折曲げ端部によって構成されている。右のサイド連結部４９には、扱室１６の内外方向に並ぶ外側部４９ａと内側部４９ｂとが備えられている。外側部４９ａは、内側部４９ｂよりも高く位置している。センタ連結部５０は、案内板４８から脱穀装置上方向き（扱室外側向き）に突設された連結ピンによって構成されている。
【００４５】
案内板４８の左のサイド連結部４９が天板部２２の左の連結部２６における内側部２６ｃの下面に沿わせられ、右のサイド連結部４９の外側部４９ａが天板部２２の右の連結部２６における内側部２６ｃと外側部２６ａとの間に入り込ませられて、案内板４８の外側部４９ａが天板部２２の中間部２６ｂに連結ボルト５１によって連結され、案内板４８のセンタ連結部５０が天板部２２の取付けボス部３２に差し込み連結されることにより、案内板４８が天板部２２に取付けられている。天板部２２に備えられた取付け部としての取付けボス部３２は、第二の送塵弁３０の取付け用と案内板４８の取付け用とに共通の取付けボス部３２になっている。
【００４６】
天板部２２が閉じられると、案内板４８の左のサイド連結部４９が天板部２２の左の連結部２６における内側部２６ｃと、脱穀機体１５の左横壁部１５ａとよって挟まれ、案内板４８の左端側が天板部２２に固定される。
【００４７】
本実施形態の案内板４８の取付け構造の他、案内板４８の脱穀装置左右方向での両端部に連結部を構成する折曲げ端部を備えず、案内板４８の両端部が天板部２２のうち、連結部２６よりも扱室内側の部位に連結ボルトや溶接によって連結される取付け構造など、どのような取付け構造を採用してもよい。
【００４８】
図５，６に示すように、案内板４８の内側に、扱胴軸芯Ｘに沿う方向に間隔を空けて並ぶ複数の送り部材５２が取り付けられている。図５に示すように、複数の送り部材５２のそれぞれは、天板部２２の内側における扱胴周方向での一端部と他端部とに亘る状態で設けられている。送り部材５２の扱胴周方向での長さが第二の送塵弁３０の扱胴周方向での長さよりも長くなっている。複数の送り部材５２のそれぞれは、姿勢変更不能に取付けられている。複数の送り部材５２は、案内板４８の内側に溶接によって一体的に設けられている。送り部材５２は、トウモロコシ房状体を案内する際のトウモロコシ房状体からの反力によってずれ動かないように案内板４８にしっかり支持される。本実施形態では、送り部材５２を案内板４８に溶接によって一体的に取付けているが、連結ボルトやリベットなどによって一体的に取付けてもよい。
【００４９】
図６に示すように、案内板４８は、扱室１６の前後方向に二箇所の分割線Ｌで三つの分割案内板４８Ｂに分割可能に構成されている。案内板４８を三つの分割案内板４８Ｂに分けて天板部２２に取り付けることができる。
【００５０】
トウモロコシを脱穀対象とする脱穀装置８は、第二の送塵弁３０を備えず、天板部２２の内側に縦断面円弧状の案内板４８が取り付けられた第二状態に構成されている。本実施形態では、送り部材５２が設けられているが、第二状態の脱穀装置８としては、脱穀対象の収穫物の品種や性状などによっては、送り部材５２を設けない構造にしてもよい。第二状態の脱穀装置８は、次の如く脱穀作用する。
【００５１】
脱穀部８Ｃにおいては、第一状態の脱穀装置８と同様に、扱胴１７が回転方向Ｒ（図３参照）に回転駆動される。収穫物としてのトウモロコシ房状体の軸端から先端までの全体が搬送部６Ａによって扱室１６の前端部に投入される。投入されたトウモロコシ房状体が掻込み部１７Ｋによって扱胴１７の後方に向けて掻き込まれて扱き処理部１７Ｄに供給される。扱き処理部１７Ｄに供給されたトウモロコシ房状体が扱き処理部１７Ｄと受網１８とによって扱き処理される。脱穀処理物が扱胴１７によって回動力を付与されて扱室１６を回動して送り部材５２に当たり、送り部材５２によって扱室１６の後方へ向けて流れるように送り案内される。これにより、脱穀処理物としてのトウモロコシ房状体が扱き処理部１７Ｄによる送り作用と、送り部材５２による送り案内とによって扱室１６の後方に向けて移送されつつ脱穀処理される。扱き処理によって得られた種子粒が受網１８の漏下穴を通って選別部８Ｂに落下して包葉などと選別される。包葉などの脱穀塵埃が送塵口２１から排出されて細断装置１１に入る。
【００５２】
＜第二実施形態＞
次に、第二状態で用いる案内板４８の構造及び取り付け方が異なるところの、第二実施形態について説明する。
案内板４８の構造及び取り付け方以外の点は、前述した第一実施形態の場合と同様なので詳細な説明は省略する。
この第二実施形態で用いられる案内板４８は、図７乃至図９に示されるように構成されている。
【００５３】
図７に示すように、脱穀部８Ｃにおいては、天板部２２の内側に案内板４８が取り付けられている。この案内板４８は、左右方向に沿う縦断面形状が下向き開放の部分円弧状に形成されている。この案内板４８が天板部２２の内側に取り付けられることにより、平坦面部２５の割合が多い天板部２２の内側に、トウモロコシ房状体や包葉などが流れやすい円弧状の湾曲面が備えられた状態となる。
案内板４８の左右方向での両端部のうち、扱胴１７の回転方向での上手側である右側端部４９Ｒ（上手側端部に相当する）が扱室１６の右横壁部１５ｂの上端部に固定され、扱胴１７の回転方向での下手側である左側端部４９Ｌ（下手側端部に相当する）が、天板部２２の内側に固定されず、自由端となっている点で第一実施形態の構造とは異なっている。
【００５４】
案内板４８の脱穀装置左右方向での中間部に、案内板４８を、右側端部４９Ｒと左側端部４９Ｌの間で扱室１６の天板部２２に支持させるためのセンタ連結部５０が備えられている。このセンタ連結部５０は、扱室１６の周方向で、右横壁部１５ｂの上端部に固定される右側端部４９Ｒよりも、自由端となっている左側端部４９Ｌに近い位置に設定されている。
右側端部４９Ｒは、案内板４８の折曲げ端部によって構成されている。右側端部４９Ｒには、扱室１６の内外方向に並ぶ外側部４９ａと内側部４９ｂとが備えられている。外側部４９ａは、内側部４９ｂよりも高く位置している。センタ連結部５０は、案内板４８から脱穀装置上方向き（扱室外側向き）に突設された連結ピンによって構成されている。
【００５５】
案内板４８の右側端部４９Ｒの外側部４９ａが、天板部２２の右の連結部２６における内側部２６ｃと外側部２６ａとの間に入り込ませられて、案内板４８の外側部４９ａが天板部２２の中間部２６ｂに連結ボルト５１によって連結される。そして、案内板４８のセンタ連結部５０が天板部２２の取付けボス部３２に差し込み連結されることにより、案内板４８が天板部２２に取付けられている。この状態で案内板４８の左側端部４９Ｌは、扱室１６の左横壁部１５ａの上端部に近い位置にまでは達しているが、天板部２２の内側に接した状態ではあるが、どこにも固定されず、自由端となっている。
天板部２２に備えられた取付け部としての取付けボス部３２は、第二の送塵弁３０の取付け用と案内板４８の取付け用とに共通の取付けボス部３２になっている。
【００５６】
図７，８に示すように、案内板４８の内側に、扱胴軸芯Ｘに沿う方向に間隔を空けて並ぶ複数の送り部材５２が取り付けられている。図７に示すように、複数の送り部材５２のそれぞれは、天板部２２の内側における扱胴周方向に沿って設けられている。送り部材５２の扱胴周方向での長さが第二の送塵弁３０の扱胴周方向での長さよりも長くなっている。複数の送り部材５２のそれぞれは、姿勢変更不能に取付けられている。複数の送り部材５２は、案内板４８の内側に溶接によって一体的に設けられている。送り部材５２は、トウモロコシ房状体を案内する際のトウモロコシ房状体からの反力によってずれ動かないように案内板４８にしっかり支持される。本実施形態では、送り部材５２を案内板４８に溶接によって一体的に取付けているが、連結ボルトやリベットなどによって一体的に取付けてもよい。
【００５７】
図８及び図９に示すように、案内板４８は、扱室１６の前後方向に三箇所の分割線Ｌで四つの分割案内板４８Ｂに分割可能に構成されている。案内板４８を四つの分割案内板４８Ｂに分けて天板部２２に取り付けることができる。
これらの分割案内板４８Ｂは、扱室１６の前後方向で互いに突き合わせ状態で配設され、その内周側の面がほぼ面一となるように設けられている。
図８に示すように、分割案内板４８Ｂのうち、最前部の分割案内板４８Ｂには、第一の送塵弁２９を避ける切欠き部４８ａが形成されている。
【００５８】
トウモロコシを脱穀対象とする脱穀装置８は、第二の送塵弁３０を備えず、天板部２２の内側に縦断面円弧状の案内板４８が取り付けられた第二状態に構成されている。本実施形態では、送り部材５２が設けられているが、第二状態の脱穀装置８としては、脱穀対象の収穫物の品種や性状などによっては、送り部材５２を設けない構造にしてもよい。第二状態の脱穀装置８は、次の如く脱穀作用する。
【００５９】
脱穀部８Ｃにおいては、第一状態の脱穀装置８と同様に、扱胴１７が回転方向Ｒ（図３参照）に回転駆動される。収穫物としてのトウモロコシ房状体の軸端から先端までの全体が搬送部６Ａによって扱室１６の前端部に投入される。投入されたトウモロコシ房状体が掻込み部１７Ｋによって扱胴１７の後方に向けて掻き込まれて扱き処理部１７Ｄに供給される。扱き処理部１７Ｄに供給されたトウモロコシ房状体が扱き処理部１７Ｄと受網１８とによって扱き処理される。脱穀処理物が扱胴１７によって回動力を付与されて扱室１６を回動して送り部材５２に当たり、送り部材５２によって扱室１６の後方へ向けて流れるように送り案内される。これにより、脱穀処理物としてのトウモロコシ房状体が扱き処理部１７Ｄによる送り作用と、送り部材５２による送り案内とによって扱室１６の後方に向けて移送されつつ脱穀処理される。扱き処理によって得られた種子粒が受網１８の漏下穴を通って選別部８Ｂに落下して包葉などと選別される。包葉などの脱穀塵埃が送塵口２１から排出されて細断装置１１に入る。
【００６０】
〔別実施形態〕
（１）上記した実施形態では、稲、麦を第一状態の脱穀装置の脱穀対象とし、トウモロコシ房状体を第二状態の脱穀装置の脱穀対象とした例を示したが、稲、麦以外のどのような収穫物を第一状態の脱穀装置の脱穀対象とし、トウモロコシ房状体以外のどのような収穫物を第二状態の脱穀装置の脱穀対象として実施してもよい。
【００６１】
（２）上記した実施形態では、第二状態の脱穀装置８において、送り部材５２が設けられた例を示したが、収穫物の品種や性状によっては、送り部材５２を設けなくてもよい。
【００６２】
（３）上記した実施形態では、天板部２２の取付け部としての取付けボス部３２が第二の送塵弁３０の取付け用と案内板４８の取付け用とに共通である構成を採用した例を示した、第二の送塵弁３０を取り付ける取付け部と、案内板４８を取り付ける取付け部とを別々に備えて実施してもよい。
【００６３】
（４）本実施形態では、案内板４８が三つの分割案内板４８Ｂによって構成される例、及び四つの分割案内板４８Ｂによって構成される例を示されているが、二つの分割案内板、あるいは五つ以上の分割案内板によって構成してもよい。また、本実施形態では、案内板４８が扱室１６の前後方向に分割された例を示されているが、扱室１６の前後方向に分割しないで、扱室１６の周方向に分割してもよい。また、扱室１６の前後方向と周方向の両方向に分割してもよい。
【００６４】
（５）本実施形態では、案内板４８を、右側端部４９Ｒと左側端部４９Ｌの間で扱室１６の天板部２２に支持させるためのセンタ連結部５０が、扱室１６の周方向で、右横壁部１５ｂの上端部に固定される右側端部４９Ｒよりも、自由端となっている左側端部４９Ｌに近い位置に設けられた構造を例示したが、この構造に限られるものではない。
例えば、センタ連結部５０が、扱室１６の周方向で、自由端となっている左側端部４９Ｌよりも、右横壁部１５ｂの上端部に固定される右側端部４９Ｒに近い位置に設けられた構造であっても良く、要は、案内板４８が扱室１６の径方向で位置変化することを抑制し得る構造であればよい。
したがって、センタ連結部５０が、扱室１６の周方向で複数箇所に設けられたものであってもよい。また、案内板４８が容易に径方向に変形し難い構造であれば、センタ連結部５０に類する支持構造を全く備えていないものであってもよい。
【００６５】
（６）本実施形態では、案内板４８の下流側端部である左側端部４９Ｌを、天板部２２に接するだけの、全くの自由端として構成した例を第二実施形態で示したが、この構造に限られるものではない。
例えば、左側端部４９Ｌの扱室１６の周方向での動きは許容し、扱室１６の径方向での動きは規制するように構成してもよい。
【００６６】
（７）本実施形態では、クローラ走行装置２が備えられた例を示した、走行車輪、あるいは、車輪とミニクローラとが組み合わされた走行装置を備えて実施してもよい。
【産業上の利用可能性】
【００６７】
本発明は、稲、麦、トウモロコシ以外の各種の収穫物を脱穀対象とする脱穀装置に適用できる。
【符号の説明】
【００６８】
８        脱穀装置
１６      扱室
１７      扱胴
２２      天板部
２５      平坦面部
３０      送塵弁（第一の送塵弁）
３２      取付け部（取付けボス部）
４８      案内板
４８Ｂ    分割案内板
４９Ｒ    上手側端部（右側端部）
４９Ｌ    下手側端部（左側端部）
５２      送り部材
Ｘ        扱胴軸芯
【図１】
2019083803.tif 000003
【図２】
2019083803.tif 000004
【図３】
2019083803.tif 000005
【図４】
2019083803.tif 000006
【図５】
2019083803.tif 000007
【図６】
2019083803.tif 000008
【図７】
2019083803.tif 000009
【図８】
2019083803.tif 000010
【図９】
2019083803.tif 000011